(57)【要約】【課題】  ドアロック駆動装置の非常時クローザ作動解除機能を有するキャンセルレバー８の振れを抑えて異音の発生を防止することが可能なキャンセルレバー異音防止装置を提供することを課題とする。【解決手段】  一端部（被軸支部）が駆動装置ケースの軸支部に揺動自在に軸支されたキャンセルレバー８は、スプリングホルダー９の連結板７４に樹脂一体成形された弾性部７３の弾性変形力を用いてケースカバー４の側壁部の内壁面に押し付けられる。この結果、キャンセルレバー８の板厚方向の一端面（表面）とケースカバー４の側壁部の内壁面との間に、キャンセルレバー８の円滑な回転動作を確保することが可能なクリアランスが設けられている場合でも、キャンセルレバー８が機能部品収容部内で振れることを抑えることができるので、異音の発生を防止することができる。【選択図】  図１
2005290907.tif 000002
【特許請求の範囲】
【請求項１】
（ａ）対向する２つの内壁面間にレバー収容室が形成されるハウジングと、
（ｂ）前記ハウジングに揺動自在に軸支される被軸支部を有し、
前記レバー収容室内において前記被軸支部の支点を中心にした、前記ハウジングの内壁面方向に平行な方向への回転動作を行う板状のリンクレバーと、
（ｃ）このリンクレバーを、前記２つの内壁面のうちの一方側の内壁面に弾性変形力を用いて押し付ける弾性体と
を備えたレバー異音防止装置。
【請求項２】
請求項１に記載のレバー異音防止装置において、
前記弾性体は、板状に形成されており、
前記弾性体の板厚方向の一端面の法線方向が前記リンクレバーの回転方向の一方側に向けて前記リンクレバーに徐々に近づくように、所定の角度を持って傾いており、あるいは所定の曲率を持って湾曲しており、
前記弾性体の自由端の先端には、前記リンクレバーに常時接触する接触子が設けられていることを特徴とするレバー異音防止装置。
【請求項３】
請求項１または請求項２に記載のレバー異音防止装置において、
前記弾性体は、板状に形成されており、
前記弾性体の板厚方向の一端面の面形状が前記リンクレバーの回転動作軌跡に沿うように所定の曲率を持って略円弧状に湾曲していることを特徴とするレバー異音防止装置。
【請求項４】
請求項１ないし請求項３のうちのいずれか１つに記載のレバー異音防止装置において、  前記レバー収容室内には、レバー異音防止機能とは異なる機能を有する機能部品が収容されており、
前記機能部品は、前記ハウジングおよび前記リンクレバーのいずれに対しても独立した別部品にて設けられており、
前記弾性体は、前記機能部品に一体的に設けられていることを特徴とするレバー異音防止装置。
【請求項５】
請求項１ないし請求項４のうちのいずれか１つに記載のレバー異音防止装置において、  前記レバー収容室内には、手動操作力を受けると支持軸を中心にして回転すると共に、前記リンクレバーに係合する係合孔を有するリンクプレートが収容されており、
前記リンクレバーは、一端部に前記ハウジングに軸支される被軸支部を有し、且つ他端部に前記リンクプレートの係合孔に駆動連結する係合部を有し、前記リンクプレートが手動操作力を受けて前記支持軸を中心にして正転方向に回転すると、前記被軸支部の支点を中心にした回転動作を行うことを特徴とするレバー異音防止装置。
【請求項６】
請求項５に記載のレバー異音防止装置において、
前記レバー収容室内には、前記リンクプレートまたは前記リンクレバーを初期位置側に戻す方向に付勢するコイルスプリングと、このコイルスプリングをガイドするスプリングガイド機能を有する機能部品とが収容されており、
前記機能部品は、前記ハウジング、前記リンクレバーおよび前記リンクプレートのいずれに対しても独立した別部品にて設けられており、
前記弾性体は、前記機能部品に一体的に設けられていることを特徴とするレバー異音防止装置。
【請求項７】
請求項１ないし請求項６のうちのいずれか１つに記載のレバー異音防止装置において、  前記レバー収容室内には、車両のドアを閉鎖状態に保つためのドアロックの噛合い機構を駆動するドアロック駆動装置が収容されていることを特徴とするレバー異音防止装置。
【請求項８】
請求項７に記載のレバー異音防止装置において、
前記ドアロック駆動装置は、
前記ドアロックの噛合い機構を、フルラッチ状態からアンラッチ状態へのアンラッチ作動方向に駆動するアンラッチ機能と、
前記ドアロックの噛合い機構を、ハーフラッチ状態からフルラッチ状態へのクローザ作動方向に駆動するオートクローザ機能と、
クローザ作動途中で非常事態が発生した際にクローザ作動を解除する非常時クローザ作動解除機能と
を兼ね備えたことを特徴とするレバー異音防止装置。
【請求項９】
請求項７または請求項８に記載のレバー異音防止装置において、
前記ドアロック駆動装置は、
駆動モータの回転出力を受けると、支持軸を中心にして公転運動を行うピン部材と、
このピン部材の外周に揺動自在に保持されて、前記ピン部材が公転運動を行うと、クローザ作動方向に動作する動力伝達レバーと、
この動力伝達レバーに係脱自在に係合されるクローザ作動レバーを有し、前記動力伝達レバーのクローザ作動方向の動作に伴って、前記ドアロックの噛合い機構を、ハーフラッチ状態からフルラッチ状態へのクローザ作動方向に駆動するオートクローザ機構と
を備え、
前記動力伝達レバーは、前記リンクレバーに係脱自在に係合する係合部を有し、
前記リンクレバーは、前記動力伝達レバーのクローザ作動方向の動作途中で、操作力を受けて回転すると、前記係合部に係合して前記動力伝達レバーを前記クローザ作動レバーの作動範囲外まで押し出すことを特徴とするレバー異音防止装置。
【発明の詳細な説明】
【技術分野】
【０００１】
本発明は、弾性体の弾性力を用いてリンクレバーの振れを抑えて異音の発生を防止することが可能なレバー異音防止装置に関するもので、特にドアロック駆動装置の非常時クローザ作動解除機能を有するキャンセルレバーの振れを抑えて異音の発生を防止することが可能なキャンセルレバー異音防止装置に係わる。
【背景技術】
【０００２】
［従来の技術］
従来より、１個の駆動モータ、歯車減速機構および出力カム等によって構成された動力ユニットと、ドアが完全に閉じているフルラッチ状態の時に、駆動モータの動力で自動的にドアロックのラチェットをアンラッチ作動方向に動作させることで、ドアロックのラッチとラチェットとの噛合い状態を解除（アンラッチ状態に）して、ドアが開かれるのを許容するアンラッチ機構と、ドアが完全に閉じていない半ドア状態（ハーフラッチ状態）の時に、駆動モータの動力で自動的にドアロックのラッチをクローザ作動方向に動作させることで、ラッチとラチェットとを正規のフルラッチ状態で噛み合わせて、ドアを完全に閉じるオートクローザ機構とを備えたドアロック駆動装置が公知である。
【０００３】
しかし、従来のドアロック駆動装置においては、万一ドアに手や指等の乗員の身体を挟んだり、物や乗員の衣服を挟んだりする等の非常事態が発生した時に、アウターハンドルまたはインナーハンドルを手動操作すると、駆動モータの動力によるクローザ作動を中断できるように構成されているが、ドアロックのラッチとラチェットとの噛合い状態が解除されず、ドアを開くことができないという問題があった。そこで、ドアロックのラチェットのクローザ作動中に、上記のような非常事態が発生した時に、フェールセーフレバーが手動操作されることに応じてクローザ作動を停止させると共に、ドアロックのラッチをアンラッチ状態に切り替える非常時クローザ作動解除機能を備えたドアロック駆動装置が提案されている（例えば、特許文献１参照）。
【０００４】
［従来の技術の不具合］
しかるに、特許文献１に記載のドアロック駆動装置によると、駆動モータの動力によってクローザ機構やアンラッチ機構に伝達する駆動力や、手動操作力の伝達機構を多数の部材で構成しているため、ドアロック駆動装置のサイズが大型化し、コストアップとなるという問題がある。そこで、アンラッチ機構、オートクローザ機構、非常時クローザ作動解除機構を簡素な構成で実現し、且つ駆動モータ、歯車減速機構、第１、第２動力伝達レバー、アンラッチ作動レバーおよびクローザ作動レバー等をハウジングの内部に収容することで、３つのアンラッチ機能、オートクローザ機能、非常時クローザ作動解除機能を備えたドアロック駆動装置の体格をコンパクト化（小型化）するという目的で、既に特願２００２−３２５４９８（出願日平成１４年１１月８日）を出願した。
【０００５】
この出願のドアロック駆動装置（比較例１）においては、図３ないし図５に示したように、駆動装置ケース１００の内部に、駆動モータ１０１と、歯車減速機構を構成するピニオンギヤ１０２および第１、第２減速ギヤ１０３、１０４と、出力カム１０５と、係合ピン１０６を保持固定する第１動力伝達レバー１１１と、アンラッチ機構を構成するアンラッチ作動レバー１１２と、係合ピン１０６の外周に揺動自在に保持された第２動力伝達レバー１２１と、オートクローザ機構を構成するクローザ作動レバー１２２と、非常時クローザ作動解除機構を構成するキャンセルレバー１０７を収容している。また、アンラッチ機構は、アンラッチ作動レバー１１２の他に、アンラッチ出力軸１１３およびアンラッチ出力レバー１１４を有し、また、オートクローザ機構は、クローザ作動レバー１２２の他に、クローザ出力軸１２３およびクローザ出力レバー１２４を有している。
【０００６】
ここで、上記出願のドアロック駆動装置（比較例１）においては、ドア開状態から乗員がドアを閉じようとすると、ストライカがラッチの嵌合溝に進入してラッチが回転することにより、ラッチのハーフラッチ用係合爪がラチェットの係合爪と係合してハーフラッチ状態（ドアが完全に閉鎖していない半ドア）となる。そして、図３に示したように、係合ピン１０６が出力カム１０５のカム面から駆動モータ１０１の回転出力を受けて第２動力伝達レバー１２１がクローザ作動方向（図示左側方向）に動作する。これにより、クローザ作動レバー１２２が、第２動力伝達レバー１２１のクローザ作動方向の動作に伴ってクローザ出力軸１２３およびクローザ出力レバー１２４をアンラッチ作動方向（クローザ出力軸１２３を中心とした図示左回転方向）に回転させる。そして、ドアロック駆動装置のクローザ出力レバー１２４から駆動モータ１０１の回転出力（ドアロック駆動装置の出力トルク）を受けるドアロックのラッチが、ハーフラッチ位置からフルラッチ位置まで回転することで、オートクローザ機構によるクローザ作動が完了する。
【０００７】
次に、ドアロック駆動装置（比較例１）のクローザ作動解除方法を図３および図４に基づいて説明する。上述したように、係合ピン１０６が出力カム１０５のカム面から駆動モータ１０１の回転出力を受けて第２動力伝達レバー１２１がクローザ作動方向（図示左側方向）に動作する途中で、すなわち、ドアロック駆動装置のクローザ作動途中で、ドアに手や指等の乗員の身体を挟んだり、物や乗員の衣服を挟んだりする等の非常事態が発生した場合には、乗員がドアロック駆動装置のクローザ作動を中止するために手動操作手段を手動操作する。すると、手動操作手段に連結されたアンラッチ出力レバー１１４がアンラッチ作動方向に回転し、アンラッチ作動レバー１１２も図４に破線で示した位置から図４に実線で示した位置までアンラッチ作動方向に回転する。
【０００８】
一方、アンラッチ作動レバー１１２が回転すると、キャンセルレバー１０７が被軸支部１１５の支点を中心にしてクローザ作動解除方向に回転する。これにより、キャンセルレバー１０７が第２動力伝達レバー１２１の係合部１２５に係合するため、キャンセルレバー１０７のクローザ解除方向の回転に伴って、第２動力伝達レバー１２１がクローザ作動レバー１２２の回転動作範囲外まで押し出され、第２動力伝達レバー１２１のストッパ部１２６とクローザ作動レバー１２２の被係合部１２７との駆動連結が解除される。したがって、オートクローザ機構のクローザ作動レバー１２２に駆動モータ１０１の回転出力が伝わらず、第２リターンスプリング１２９の付勢力によってオートクローザ機構が中立位置に戻される（図５参照）。また、手動操作手段より乗員が手を離した時、つまりクローザ作動解除完了時には、第１リターンスプリング１１９の付勢力によってアンラッチ機構、キャンセルレバー１０７、第１、第２動力伝達レバー１１１、１２１が、図５に示したクローザ作動解除位置から中立位置に戻される。
【０００９】
［先行の技術の不具合］
ところが、先願（比較例１）のドアロック駆動装置においては、クローザ作動解除機能を有するキャンセルレバー１０７には支持軸（例えばピン部材や軸状部材等の揺動軸）がなく、キャンセルレバー１０７の被軸支部１１５が駆動装置ケース１００の略凹部形状の嵌合溝１０９内に揺動自在に保持されて、キャンセルレバー１０７が被軸支部１１５の支点を中心にして回転動作して第２動力伝達レバー１２１の係合部１２５に係合することで、クローザ作動を解除するように構成されている。そして、キャンセルレバー１０７の板厚方向の両端面と駆動装置ケース１００およびこの駆動装置ケース１００の開口側を閉塞するケースカバーとの間には、キャンセルレバー１０７が被軸支部１１５の支点を中心にして回転動作を円滑に行えるようにクリアランスが形成されている。この結果、ドアロック駆動装置を装着しているドアに車両走行を要因とする振動が伝わると、キャンセルレバー１０７が駆動装置ケース１００内で振れ異音が発生する可能性があった。
【特許文献１】特許第３１８００３９号公報（第１−６頁、図１−図９）
【発明の開示】
【発明が解決しようとする課題】
【００１０】
本発明の目的は、リンクレバーの円滑な回転動作を阻害することなく、リンクレバーの振れを抑えて異音の発生を防止することが可能なレバー異音防止装置を提供することにある。特に、ドアロック駆動装置の非常時クローザ作動解除機能を有するリンクレバーの振れを抑えて異音の発生を防止することが可能なキャンセルレバー異音防止装置を提供することにある。
【課題を解決するための手段】
【００１１】
請求項１に記載の発明によれば、ハウジングの２つの内壁面間に形成されるレバー収容室内に、ハウジング（の略凹状の軸支部、嵌合溝）に揺動自在（回転自在）に軸支される被軸支部の支点を中心にした、ハウジングの内壁面方向に平行な方向、つまり自身の板厚方向に対して略直交する自身の板面方向への回転動作を行う板状のリンクレバーを収容している。そして、その板状のリンクレバーを、ハウジングの２つの内壁面のうちの一方側の内壁面に弾性変形力を用いて押し付ける弾性体を設けたことにより、リンクレバーとハウジングの２つの内壁面との間に、リンクレバーの円滑な回転動作を確保することが可能なクリアランスが設けられている場合でも、リンクレバーがハウジングのレバー収容室内で振れることを抑えることができるので、異音の発生を防止することができる。
【００１２】
請求項２に記載の発明によれば、板状の弾性体の板厚方向の一端面の法線方向がリンクレバーの回転方向の一方側（回転動作方向）に向けてリンクレバーに徐々に近づくように、所定の角度を持って傾いている。あるいは所定の曲率を持って湾曲している。これにより、リンクレバーが初期位置（最小回転角度位置）から回転動作位置（最大回転角度位置）まで円滑に回転動作できる。また、板状の弾性体の自由端の先端に、リンクレバーに常時接触する接触子を設けている。これにより、リンクレバーが回転動作位置から初期位置に戻される場合に、板状の弾性体に引っ掛かることはない。
【００１３】
請求項３に記載の発明によれば、板状の弾性体の板厚方向の一端面の面形状がリンクレバーの回転動作軌跡に沿うように所定の曲率を持って略円弧状に湾曲している。これにより、板状の弾性体の板幅方向の寸法を必要最小限とすることができるので、弾性体の製造コストを低減することができる。
【００１４】
請求項４に記載の発明によれば、ハウジングの２つの内壁面間に形成されるレバー収容室内に、レバー異音防止機能とは異なる機能を有する機能部品を収容している。この機能部品は、ハウジングおよびリンクレバーのいずれに対しても独立した別部品にて設けられている。そして、上記の弾性体を、その機能部品に一体的に設けることにより、機能部品と弾性体とを別々に設けた場合と比べて、部品点数や組付工数を削減することができる。また、弾性体を保持する機能を有する機能部品と、上記機能を有する機能部品とを別々に設けた場合と比べて、部品点数や組付工数を削減することができる。したがって、レバー異音防止装置を非常に少ない部品点数で構成できるので、コストダウンを図ることができる。
【００１５】
請求項５に記載の発明によれば、ハウジングの２つの内壁面間に形成されるレバー収容室内に、手動操作力を受けると支持軸を中心にして回転すると共に、リンクレバーに係合する係合孔を有するリンクプレートを収容している。そして、上記のリンクレバーの一端部に、ハウジング（の略凹形状の軸支部、係合溝）に嵌め合わされて揺動自在（回転自在）に軸支される被軸支部を設け、更に、リンクレバーの他端部に、リンクプレートの係合孔に駆動連結する係合部を設けることにより、リンクプレートが手動操作力を受けて支持軸を中心にして正転方向に回転すると、リンクレバーが被軸支部の支点を中心にした回転動作を行うように構成されている。この場合でも、ハウジングの２つの内壁面のうちの一方側の内壁面にリンクレバーを弾性体の弾性変形力を用いて押し付けることにより、リンクレバーの円滑な回転動作を阻害することなく、リンクレバーの振れを抑えて異音の発生を防止することができる。
【００１６】
請求項６に記載の発明によれば、ハウジングの２つの内壁面間に形成されるレバー収容室内に、リンクプレートまたはリンクレバーを初期位置側に戻す方向に付勢するコイルスプリングと、このコイルスプリングをガイドするスプリングガイド機能を有する機能部品とを収容している。この機能部品は、ハウジング、リンクレバーおよびリンクプレートのいずれに対しても独立した別部品にて設けられている。そして、上記の弾性体を、その機能部品に一体的に設けることにより、機能部品と弾性体とを別々に設けた場合と比べて、部品点数や組付工数を削減することができる。また、弾性体を保持する機能を有する機能部品と、上記機能を有する機能部品とを別々に設けた場合と比べて、部品点数や組付工数を削減することができる。したがって、レバー異音防止装置を非常に少ない部品点数で構成できるので、コストダウンを図ることができる。
【００１７】
請求項７に記載の発明によれば、ハウジングの２つの内壁面間に形成されるレバー収容室内に、車両のドアを閉鎖状態に保つためのドアロックの噛合い機構を駆動するドアロック駆動装置（の各機能部品）を収容するようにしても良い。なお、ハウジングを、ドアロック駆動装置の各機能部品、特にレバー部材やピン部材を収容する容器形状のレバーケースと、このレバーケースの開口側を閉塞するケースカバーとによって構成しても良い。また、レバーケースの側壁部によってリンクレバーの被軸支部の回転軸線方向の一方側を閉塞し、且つケースカバーの側壁部によってリンクレバーの被軸支部の回転軸線方向の他方側を閉塞するようにしても良い。
【００１８】
請求項８に記載の発明によれば、ハウジングの２つの内壁面間に形成されるレバー収容室内に、アンラッチ機能とオートクローザ機能と非常時クローザ作動解除機能とを兼ね備えたドアロック駆動装置（の各機能部品）を収容することにより、ドアロック駆動装置をコンパクト化することができる。また、ドアロック駆動装置（の各機能部品）が直接被水しなくなるので、ドアロック駆動装置の品質、安全性および信頼性を向上することができる。また、ハウジングを樹脂化して、ドアロック駆動装置の軽量化および低コスト化を図るようにしても良い。
【００１９】
請求項９に記載の発明によれば、動力伝達レバーのクローザ作動方向の動作途中で、リンクレバーが操作力を受けて被軸支部の支点を中心にして回転すると、リンクレバーが動力伝達レバーの係合部に係合して、動力伝達レバーをクローザ作動レバーの作動範囲外まで押し出す。この結果、動力伝達レバーとオートクローザ機構のクローザ作動レバーとの係合状態が解放されるので、駆動モータからオートクローザ機構への回転出力の伝達が遮断される。したがって、クローザ作動途中で、手や指または衣服がドアに挟まれる等の非常事態が発生した際にクローザ作動を解除する（非常時クローザ作動解除機能）ことができる。
【発明を実施するための最良の形態】
【００２０】
本発明を実施するための最良の形態は、リンクレバーの円滑な回転動作を阻害することなく、リンクレバーの振れを抑えて異音の発生を防止するという目的を、板状のリンクレバーを、ハウジングの２つの内壁面のうちの一方側の内壁面に弾性変形力を用いて押し付ける弾性体を設けたことで実現した。
【実施例１】
【００２１】
［実施例１の構成］
図１および図２は本発明の実施例１を示したもので、図１（ａ）はキャンセルレバー弾性保持機構を示した図で、図１（ｂ）はスプリングホルダーを示した図で、図２は自動車等の車両用ドアロック駆動装置の全体構成を示した図である。
【００２２】
本実施例の自動車等の車両用ドアロック駆動装置（以下ドアロック駆動装置と略す）は、自動車等の車両のドアの閉鎖状態を保つためのドアロックの噛合い機構を、ドアが完全に閉じているフルラッチ状態からドアを開けることが可能なアンラッチ状態へのアンラッチ（オープナ）作動方向に駆動するアンラッチ機能と、ドアロックの噛合い機構を、ドアが完全に閉鎖していないハーフラッチ状態（半ドア状態）からドアを完全に閉鎖するフルラッチ状態へのクローザ作動方向に駆動するオートクローザ機能と、クローザ作動中に、ドアに手や指等の乗員の身体を挟んだり、物や乗員の衣服を挟んだりする等の非常事態が発生した場合にクローザ作動を解除する非常時クローザ作動解除機能とを兼ね備えたドアロック・アクチュエータである。
【００２３】
ドアロックは、車両の車体のドア受けに固着されたストライカ（図示せず）との係合および離脱を行う噛合い機構を有し、開いているドアを閉じる時には、ドア開状態からハーフラッチ状態またはフルラッチ状態を経てドア閉状態となり、閉じているドアを開ける時には、ドア閉状態からアンラッチ状態を経てドア開状態となる。そして、ドアロックの噛合い機構は、半ドア状態の時にストライカを拘止するハーフラッチ状態（ドアを完全に閉鎖していない状態）、ドア閉状態の時にストライカを拘止するフルラッチ状態（ドアを完全に閉じている状態）、およびストライカを解放することが可能なアンラッチ状態（ドアを開くことが可能な状態）のいずれかの状態を形成することが可能なラッチ（図示せず）と、このラッチと係脱自在に噛み合うラチェット（図示せず）とからなる係脱機構である。
【００２４】
ラッチは、ドアロックの噛合い機構をドアに取り付けるための取付ステー上においてラッチ用支軸を中心にして回動可能に設けられている。このラッチは、ストライカを受け入れることが可能な略Ｕ字状の嵌合溝（Ｕ字溝）、車両のドアが完全に閉まりきっていない半ドア状態の時にラチェットの係合爪と係合するハーフラッチ用係合爪（第１係合部）、フルラッチ状態およびドア閉状態の時にラチェットの被係合爪と係合するフルラッチ用係合爪（第２係合部）、およびドアロック駆動装置のオートクローザ機構のクローザ出力レバー１６の出力を受けるレシーブ部（いずれも図示せず）を有している。なお、ラッチは、ラッチスプリング（図示せず）によって初期位置（ドアが開いている時に嵌合溝がストライカを受け入れることが可能な方向に向く位置）方向に付勢されている。
【００２５】
ラチェットは、取付ステー上においてラチェット用支軸を中心にして回動可能に設けられている。このラチェットは、ラッチのハーフラッチ用係合爪、フルラッチ用係合爪に係合する係合爪、およびドアロック駆動装置のアンラッチ機構のアンラッチ出力レバー１２の出力を受けるレシーブ部（いずれも図示せず）を有している。なお、ラチェットは、ラチェットスプリング（図示せず）によって係合爪がラッチに当接する方向に付勢されている。また、ラチェットは、アンラッチ作動方向に所定の回転角度だけ回転するとストッパ（図示せず）によってそれ以上の回転が規制されるように構成されている。
【００２６】
本実施例のドアロック駆動装置は、１個の駆動モータ１を含んで構成される動力ユニットと、この動力ユニットを収容するハウジング（アクチュエータケース）とを備えている。ここで、本実施例の動力ユニットは、動力源である駆動モータ１、この駆動モータ１の回転出力をアンラッチ機構またはオートクローザ機構に伝達する動力伝達機構、およびこの動力伝達機構の回転出力を受けて正転方向および逆転方向に回転する出力カム２等を含んで構成されている。
【００２７】
駆動モータ１は、正転方向または逆転方向に回転可能なモータシャフト（駆動モータの出力軸）１９を有している。このモータシャフト１９の外周には、カラー２０が圧入により固定されている。この駆動モータ１を通電するモータ通電回路は、導電性金属薄板よりなる一対のモータ用通電端子（ターミナル、モータ通電回路側の外部接続端子）２１を介してドアロック制御回路に電気的に接続されている。ここで、駆動モータ１は、アンラッチ作動時に図示しないドアロック制御回路より制御信号を受けて正転方向の回転出力を動力伝達機構に発生する。また、駆動モータ１は、クローザ作動時にドアロック制御回路より制御信号を受けて逆転方向の回転出力を動力伝達機構に発生する。そして、動力伝達機構は、駆動モータ１のモータシャフト１９の回転速度を所定の減速比となるように減速する歯車減速機構であって、駆動モータ１のモータシャフト１９の外周に嵌め合わされたモータ側ギヤ（ピニオンギヤ）２２、このピニオンギヤ２２に噛み合う第１減速ギヤ２３、およびこの第１減速ギヤ２３に噛み合う第２減速ギヤ２４等から構成されている。
【００２８】
また、第１減速ギヤ２３は、例えば樹脂材料によって一体的に形成されており、ハウジングの側壁部および側壁部に両端が固定された第１中心軸２５を中心にして回転する。また、第２減速ギヤ２４は、例えば金属材料によって一体的に形成されており、ハウジングの側壁部および側壁部に両端が固定された第２中心軸２６を中心にして回転する。なお、金属材料よりなる略円環形状のカラー２０と樹脂材料よりなる略円筒形状のピニオンギヤ２２との間には、駆動モータ１のモータシャフト１９が高速回転することにより発生する高振動を吸収、減衰してピニオンギヤ２２へ伝達するのを軽減するように円筒形状の弾性体２７が介在している。この弾性体２７は、歯車減速機構から駆動モータ１のモータシャフト１９に伝わる衝撃や振動を吸収、減衰するゴムダンパでもある。
【００２９】
出力カム２は、第２減速ギヤ２４の板厚方向の一端面（表面）のみに金属材料によって一体的に形成された略半月形状の凸状部であり、駆動モータ１のモータシャフト１９の回転動力によって正転方向（図示左回転方向）に回転した際に、第１動力伝達レバー６を介してアンラッチ機構をアンラッチ作動方向に動かすことが可能な第１カム面（オープナカム面）、および駆動モータ１のモータシャフト１９の回転動力によって逆転方向（図示右回転方向）に回転した際に、第２動力伝達レバー７を介してオートクローザ機構をクローザ作動方向に動かすことが可能な第２カム面（クローザカム面）を有している。
具体的には、オープナカム面は、略半月形状の凸状部である出力カム２の内壁面に設けられており、また、クローザカム面は、出力カム２の内壁面および外壁面に設けられている。なお、クローザカム面の外壁面は、出力カム２に第２減速ギヤ２４の逆転方向の回転出力が伝達された際に出力カム２が回転するクローザ作動方向に向けて、第２減速ギヤ２４の回転軸である第２中心軸２６を中心にして外径が徐々に大きくなるような曲率面とされている。
【００３０】
ここで、ドアロック制御回路は、ＣＰＵ、ＲＯＭ、ＲＡＭ等の機能を含んで構成されるマイクロコンピュータを備えており、乗員に手動操作されるドア開スイッチ、出力カム２および第２減速ギヤ２４の中立位置を検出する中立スイッチ、ハーフラッチ状態（半ドア状態）を検出するハーフラッチスイッチ、フルラッチ状態を検出するフルラッチスイッチ、アンラッチ状態を検出するアンラッチスイッチ（いずれも図示せず）等の各種スイッチのＯＮ／ＯＦＦ信号に基づいて、駆動モータ１のモータシャフト１９を正転方向または逆転方向に通電する。
【００３１】
ここで、動力ユニットを内蔵するハウジングは、駆動モータ１を支持固定する容器形状の駆動装置ケース（ケース本体）３と、この駆動装置ケース３の開口側を閉塞するケースカバー４とから構成されている。駆動装置ケース３は、ハウジングの側壁部（底壁部）および筒状壁部（側壁部）を構成するものであって、例えば熱可塑性樹脂等の樹脂材料によって所定の形状に一体的に形成されている。また、ケースカバー４は、ハウジングの側壁部（天壁部）を構成するものであって、例えば熱可塑性樹脂等の樹脂材料によって所定の形状に一体的に形成されている。なお、ケースカバー４の側壁部の内壁面には、後記する第１コイルスプリング１３のコイル部よりも一端側が係合する凸状のスプリングストッパ部（図示せず）が一体的に形成されている。ここで、上述した一対のモータ用通電端子（ターミナル）２１は、駆動装置ケース３の筒状壁部の外壁面に一体的に形成されたコネクタシェル２９内に保持されている。そして、一対のモータ用通電端子（ターミナル）２１の先端部とコネクタシェル２９とで、ドアロック制御回路側のワイヤハーネスの先端側に設けられた雌型コネクタに機械的に、また電気的に接続する雄型コネクタが構成されている。
【００３２】
また、駆動装置ケース３の側壁部（底壁部）の内壁面（底壁面）とケースカバー４の側壁部（天壁部）の内壁面（天壁面）との間には、ドアロック駆動装置の各機能部品、特に動力ユニット（駆動モータ１、歯車減速機構および出力カム２等）、後記するキャンセルレバー８および後記するスプリングホルダー９等を収容する凹形状の機能部品収容部（レバー収容部）３０を形成している。また、駆動装置ケース３の開口側に設けられた鍔状の接合端面（取付部）には、ハウジング内部への異物の侵入を防止するためのゴム製の環状シール部材（ガスケット、ゴムパッキン：図示せず）が装着される環状溝３１、およびラビリンス構造の通気孔または水抜き孔３２が形成されている。すなわち、ハウジングは、ハウジング内部への水の浸入を防止するための防水構造、あるいはハウジング内部に水が溜まるのを防止するための水抜き呼吸構造が施されている。また、駆動装置ケース３には、複数のネジ孔３３、３４が形成されている。なお、複数のネジ孔３３は、ドアロックにハウジングを組み付けるための固定用ねじや固定用ボルト等のスクリューが螺合および挿通する孔である。また、複数のネジ孔３４は、駆動装置ケース３の接合端面にケースカバー４の接合端面を組み付けるための固定用ねじや固定用ボルト等のスクリューが螺合および挿通する孔である。
【００３３】
また、駆動装置ケース３の筒状壁部の内壁面には、キャンセルレバー８を一端部の支点を中心にして揺動自在（回転自在）に軸支する略凹形状の軸支部３５が一体的に形成されている。この軸支部３５は、略Ｃ字形状に形成されて、内部にキャンセルレバー８の一端部が着脱自在に嵌め込まれて係合する係合溝３６が形成されている。そして、係合溝３６の中心軸線方向の一方側は、ケースカバー４の側壁部の内壁面にて閉塞され、また、係合溝３６の中心軸線方向の他方側は、駆動装置ケース３の側壁部の内壁面にて閉塞されている。また、係合溝３６の図示上端側の角部よりも図示下端側の角部の方が曲率半径の大きいＲ部とされている。また、軸支部３５の図示下端側の間口近傍には、キャンセルレバー８が円滑に回転動作ができるように所定の曲率半径を持つ半球面形状の突起部３７が機能部品収容部３０側に突出するように一体的に形成されている。
【００３４】
ここで、ハウジング内部には、出力カム２のオープナカム面またはクローザカム面から駆動モータ１の回転動力（モータ出力軸トルク）を受ける係合ピン５と、この係合ピン５がモータ出力軸トルクを受けると、アンラッチ作動方向またはクローザ作動方向に動作する第１動力伝達レバー（駆動レバー）６と、係合ピン５がモータ出力軸トルクを受けると、クローザ作動方向に動作する第２動力伝達レバー（伝達レバー）７と、モータ出力軸トルクによってドアロックの噛合い機構（例えばラチェット）をフルラッチ状態からアンラッチ状態に自動的に切り替えることが可能なアンラッチ機構と、モータ出力軸トルクによってドアロックの噛合い機構（例えばラッチ）をハーフラッチ状態からフルラッチ状態に自動的に切り替えることが可能なオートクローザ機構と、このオートクローザ機構のクローザ作動途中で非常事態が発生した場合にオートクローザ機構のクローザ作動を停止または中止（または中断）することが可能な非常時クローザ作動解除機構とが内蔵されている。
【００３５】
係合ピン５は、例えば金属材料によって略円柱形状に一体的に形成されており、出力カム２のオープナカム面またはクローザカム面に係脱自在に係合されている。また、係合ピン５は、第２動力伝達レバー７の円環状部を揺動自在に保持する支持軸であって、出力カム２のオープナカム面またはクローザカム面から駆動モータ１の回転動力を受けると、後記するアンラッチ出力軸（支持軸）１１を中心に公転運動を行うピン部材である。この係合ピン５は、第１動力伝達レバー６の先端部に設けられた嵌合孔内に圧入等により保持固定されている。
【００３６】
第１動力伝達レバー６は、例えば金属材料によって一体的に形成されており、駆動モータ１の回転動力（モータ出力軸トルク）を、アンラッチ機構のアンラッチ作動レバー１０に伝達する第１駆動レバーまたは第１伝達レバーとして機能する。この第１動力伝達レバー６の一端部には、アンラッチ機構のアンラッチ出力軸（支持軸）１１の外周に揺動自在（相対回転可能）に保持される円環状部が設けられている。なお、この円環状部の内周面とアンラッチ出力軸１１の外周面との間には、第１動力伝達レバー６とアンラッチ出力軸１１との相対回転が可能なように所定のクリアランスが設けられている。この円環状部の表面上には、第１コイルスプリング１３のコイル部が載置されている。
【００３７】
また、第１動力伝達レバー６の先端部（他端部）には、係合ピン５を保持固定（または一体的に形成）するレバー部が設けられている。そのレバー部には、アンラッチ機構のアンラッチ作動レバー１０に係脱自在に係合する断面Ｌ字状の係合片（第１係合部、第１作用部、突起部）４１が一体的に設けられている。この係合片４１は、係合ピン５を装着する円環状部の側壁面から外部に突出するように略Ｌ字状に設けられている。また、第１動力伝達レバー６のレバー部には、第１コイルスプリング１３の一端側を第１動力伝達レバー６の回転方向に摺動可能に保持する円弧形状の保持孔（長穴）４２が設けられている。この保持孔４２は、第１動力伝達レバー６のレバー部の板厚方向の両端面（表面と裏面）を連通するように第１動力伝達レバー６のレバー部を貫通している。なお、レバー部の一部は、第２減速ギヤ２４の板厚方向の一端面（表面）上に重ね合わされている。
【００３８】
そして、第１動力伝達レバー６は、係合ピン５が出力カム２のオープナカム面から第２減速ギヤ２４の正転方向の回転出力を受けて、係合ピン５がアンラッチ出力軸１１を中心としたアンラッチ作動方向の公転運動を行うと、アンラッチ出力軸（支持軸）１１を中心にしてアンラッチ作動方向に回転する。このとき、係合片４１がアンラッチ作動レバー１０に係合することで、駆動モータ１の回転動力（モータ出力軸トルク）がアンラッチ作動レバー１０に伝わる。
【００３９】
第２動力伝達レバー７は、例えば金属材料によって一体的に形成されており、ケースカバー４の側壁部の内壁面に対向して配置されて、係合ピン５を中心にしてケースカバー４の側壁部の内壁面方向に沿って揺動運動を行う。この第２動力伝達レバー７は、駆動モータ１の回転動力（モータ出力軸トルク）を、オートクローザ機構のクローザ作動レバー１４に伝達する第２駆動レバーまたは第２伝達レバーとして機能する。また、本実施例では、駆動モータ１からクローザ作動レバー１４への回転動力の伝達を断続するクラッチレバーとして機能する。この第２動力伝達レバー７は、一端部に上記の係合ピン５の外周に揺動自在（相対回転可能）に保持される円環状部が設けられている。なお、この円環状部の内周面と係合ピン５の外周面との間には、係合ピン５と第２動力伝達レバー７との相対回転が可能なように所定のクリアランスが設けられている。また、円環状部には、第１コイルスプリング１３の一端を係止するレバー側スプリングフック部（図示せず）が設けられている。
【００４０】
また、第２動力伝達レバー７には、円環状部より一方側に延長された腕状のレバー部が設けられている。このレバー部の先端部（他端部）には、クローザ作動レバー１４の凸状の被係合部５２に係脱自在に係合するストッパ部（第２係合部、第２作用部）４３が設けられている。なお、ストッパ部４３は、図示左方向に突出した凸状部、およびこの凸状部よりも凹んだ曲壁部等から構成されている。また、第２動力伝達レバー７のレバー部の先端部（他端部）には、後記するキャンセルレバー８の押圧部６４に係脱自在に係合する略円柱形状の係合ピン４４が保持固定（または一体的に形成）されている。この係合ピン４４は、第２動力伝達レバー７のレバー部の板厚方向の一端面（表面）より一方側（上方側）に突出した凸状の係合部として機能する。
【００４１】
そして、第２動力伝達レバー７は、係合ピン５が出力カム２のクローザカム面から第２減速ギヤ２４の逆転方向の回転出力を受けて、係合ピン５がアンラッチ出力軸１１を中心としたクローザ作動方向の公転運動を行うと、係合ピン５を中心にしてクローザ作動方向に回転しながら、クローザ作動方向（図示左斜め下方向）に動作する。このとき、ストッパ部４３がクローザ作動レバー１４に係合することで、駆動モータ１の回転動力（モータ出力軸トルク）がクローザ作動レバー１４に伝わる。なお、第２動力伝達レバー７の円環状部およびレバー部の一部は、第２減速ギヤ２４の板厚方向の一端面（表面）上に重ね合わされて配置されているが、第２減速ギヤ２４の表面から板厚方向の一方側に突出するように設けられた凸状の出力カム２と干渉しない高さに位置するように係合ピン５の外周に回転自在に組み付けられている。
【００４２】
アンラッチ機構は、上記のアンラッチ作動レバー１０、アンラッチ出力軸１１、アンラッチ出力レバー１２および第１コイルスプリング１３等によって構成されている。これらのアンラッチ機構の各構成部品、特にアンラッチ出力軸１１およびアンラッチ出力レバー１２は、ドアが完全に閉じているフルラッチ状態の時に、第１動力伝達レバー６のアンラッチ作動方向の回転に伴って、アンラッチ出力軸１１を中心にしてアンラッチ作動方向（図示右回転方向）に回転し、ドアロックのラチェットをアンラッチ作動方向に駆動して、ドアを開けることが可能なアンラッチ状態にするアンラッチ機能部品である。
【００４３】
アンラッチ作動レバー１０は、例えば金属材料によって一体的に形成されたリンクプレートであって、駆動装置ケース３の側壁部の内壁面に対向して配置されて、アンラッチ出力軸１１を中心にして駆動装置ケース３の側壁部の内壁面方向に沿って揺動運動を行う。このアンラッチ作動レバー１０の中央部には、アンラッチ出力軸１１の外周に固定される円環状部が設けられている。なお、アンラッチ作動レバー１０は、第２減速ギヤ２４の板厚方向の一端面（表面）と第１動力伝達レバー６の板厚方向の他端面（裏面）との間に重ね合わされて配置され、出力カム２の表面と干渉しない高さに位置するように、しかも第１動力伝達レバー６と相対回転が可能なようにアンラッチ出力軸１１の外周に固定されている。
【００４４】
アンラッチ作動レバー１０の円環状部より半径方向の一方側に延長された第１レバー部には、第１動力伝達レバー６の係合片４１に係脱自在に係合される被係合部が設けられている。また、アンラッチ作動レバー１０の円環状部より半径方向の他方側に延長された第２レバー部には、後記するキャンセルレバー８の係合ピン６３に係合する長円形状の係合孔５１、および第１コイルスプリング１３の他端を係止する円形状の保持孔（レバー側スプリングフック部：図示せず）が形成されている。これらの係合孔５１および保持孔は、アンラッチ作動レバー１０の第２レバー部の板厚方向の両端面（表面と裏面）を連通するようにアンラッチ作動レバー１０の第２レバー部を貫通している。
【００４５】
アンラッチ出力軸１１は、例えば金属材料によって略円柱形状に一体的に形成されている。このアンラッチ出力軸１１は、その一端部（先端部）が駆動装置ケース３の外壁面より外部に突出した状態で、ハウジングの内部に回転自在に支持されている。このアンラッチ出力軸１１の他端側（ハウジング内部に位置する側）の外周には、第１動力伝達レバー６の円環状部が揺動自在（つまりアンラッチ出力軸１１に対して相対回転可能）に保持されており、更にアンラッチ作動レバー１０の円環状部を保持固定している。したがって、アンラッチ出力軸１１は、第１動力伝達レバー６の係合片４１がアンラッチ作動レバー１０の被係合部に係合して、アンラッチ作動レバー１０がアンラッチ出力軸１１を中心にしてアンラッチ作動方向に回転すると、アンラッチ作動レバー１０と一体的にアンラッチ作動方向に回転するように構成されている。なお、アンラッチ作動レバー１０とアンラッチ出力軸１１とを例えば金属材料（または樹脂材料）によって一体化しても良い。
【００４６】
アンラッチ出力レバー１２は、例えば金属材料によって一体的に形成されており、駆動装置ケース３の側壁部の外壁面に対向して配置されて、アンラッチ出力軸１１を中心にして駆動装置ケース３の側壁部の外壁面方向に沿って揺動運動を行う。このアンラッチ出力レバー１２には、アンラッチ出力軸１１の一端部の外周に保持固定される円環状部（図示せず）が設けられている。また、アンラッチ出力レバー１２には、ドアロックのラチェットをアンラッチ作動方向に駆動する際に、ドアロックのラチェットのレシーブ部に係合する第１係合部（第１作用部）、および手動操作手段にワイヤーを介して接続されるレシーブ部（いずれも図示せず）が設けられている。
【００４７】
なお、手動操作手段は、アンラッチ作動レバー１０、アンラッチ出力軸１１およびアンラッチ出力レバー１２をアンラッチ作動方向に回転させる手動操作力を発生するための例えばアウターハンドルまたはインナーハンドル等の手動操作部である。また、アンラッチ出力軸１１とアンラッチ出力レバー１２とを例えば金属材料（または樹脂材料）によって一体化しても良い。また、アンラッチ出力レバー１２は、駆動装置ケース３の側壁部の外壁面と干渉しない高さに位置するようにアンラッチ出力軸１１の一端部の外周に固定されている。
【００４８】
第１コイルスプリング１３は、アンラッチ作動時に、アンラッチ作動レバー１０、アンラッチ出力軸１１およびアンラッチ出力レバー１２をアンラッチ位置から中立位置側に戻す方向に付勢するアンラッチリターンスプリング機能と、フルラッチ作動時に、第１動力伝達レバー６をフルラッチ位置から中立位置側に戻す方向に付勢するフルラッチリターンスプリング機能と、クローザ作動時に、第１、第２動力伝達レバー６、７をクローザ作動方向の動作の完了位置から中立位置側に戻す方向に付勢するクローザリターンスプリング機能と、クローザ作動解除時に、第１、第２動力伝達レバー６、７をクローザ作動解除位置から中立位置側に戻す方向に付勢するクローザ作動解除リターンスプリング機能とを兼ね備えた１本のコイルスプリングである。
【００４９】
そして、第１コイルスプリング１３のコイル内径（内周）およびコイル外径（外周）は、後記するスプリングホルダー９の第１スプリングガイドにガイドされている。この第１コイルスプリング１３のコイル部よりも一端側は、ケースカバー４の内壁面の面方向に沿うようにコイル部の半径方向に直線状に延長されて、その端部が略直交する方向に折り曲げられて、ケースカバー４の凸状のスプリングストッパ部に係合し、且つ前述の第１動力伝達レバー６の保持孔４２を貫通した状態で第１動力伝達レバー６の保持孔４２に係合し、その先端（一端）が第２動力伝達レバー７のレバー側スプリングフック部に保持されている。また、第１コイルスプリング１３の他端は、アンラッチ作動レバー１０の保持孔に係止されている。
【００５０】
オートクローザ機構は、上記のクローザ作動レバー１４、クローザ出力軸１５、クローザ出力レバー１６および第２コイルスプリング１７等によって構成されている。これらのオートクローザ機構の各構成部品、特にクローザ出力軸１５およびクローザ出力レバー１６は、ドアが完全に閉じていないハーフラッチ状態（半ドア状態）の時に、第２動力伝達レバー７のクローザ作動方向の動作に伴って、クローザ出力軸１５を中心にしてクローザ作動方向（図示左回転方向）に回転し、ドアロックのラッチをクローザ作動方向に駆動して、ドアを完全に閉じるフルラッチ状態にするオートクローザ機能部品である。
【００５１】
クローザ作動レバー１４は、例えば金属材料によって一体的に形成されており、駆動装置ケース３の側壁部の内壁面に対向して配置されて、クローザ出力軸１５を中心にして駆動装置ケース３の側壁部の内壁面方向に沿って揺動運動を行う。このクローザ作動レバー１４の一端部には、クローザ出力軸１５の外周に固定される円環状部が設けられている。この円環状部の外周には、第２コイルスプリング１７のコイル部が取り付けられている。このクローザ作動レバー１４の円環状部より半径方向の一方側に延長されたレバー部には、第２動力伝達レバー７のストッパ部４３に係脱自在に係合される凸状の被係合部５２が設けられている。また、クローザ作動レバー１４のレバー部は、キャンセルレバー８の板厚方向の他端面（裏面）側に重ね合わされて配置され、キャンセルレバー８の裏面と干渉しない高さに位置するようにクローザ出力軸１５の外周に保持固定されている。
【００５２】
クローザ出力軸１５は、例えば金属材料によって略円柱形状に一体的に形成されている。このクローザ出力軸１５は、その一端部（先端部）が駆動装置ケース３の外壁面より外部に突出した状態で、ハウジングの内部に回転自在に支持されている。このクローザ出力軸１５の他端側（ハウジング内部に位置する側）の外周には、クローザ作動レバー１４の円環状部が保持固定されている。したがって、クローザ出力軸１５は、第２動力伝達レバー７のストッパ部４３がクローザ作動レバー１４の被係合部５２に係合して、クローザ作動レバー１４がクローザ出力軸１５を中心にしてクローザ作動方向に回転すると、クローザ作動レバー１４と一体的にクローザ作動方向に回転するように構成されている。なお、クローザ作動レバー１４とクローザ出力軸１５とを例えば金属材料（または樹脂材料）によって一体化しても良い。
【００５３】
クローザ出力レバー１６は、例えば金属材料によって一体的に形成されており、駆動装置ケース３の側壁部の外壁面に対向して配置されて、クローザ出力軸１５を中心にして駆動装置ケース３の側壁部の外壁面方向に沿って揺動運動を行う。このクローザ出力レバー１６は、クローザ出力軸１５の一端部の外周に保持固定される円環状部（図示せず）が設けられている。また、クローザ出力レバー１６には、ドアロックのラッチをクローザ作動方向に駆動する際に、ドアロックのラッチのレシーブ部に係合する第２係合部（第２作用部：図示せず）が設けられている。なお、クローザ出力軸１５とクローザ出力レバー１６とを例えば金属材料（または樹脂材料）によって一体化しても良い。また、クローザ出力レバー１６は、駆動装置ケース３の側壁部の外壁面と干渉しない高さに位置するようにクローザ出力軸１５の一端部の外周に固定されている。
【００５４】
第２コイルスプリング１７は、フルラッチ作動時に、クローザ作動レバー１４、クローザ出力軸１５およびクローザ出力レバー１６をフルラッチ位置から中立位置側に戻す方向に付勢するフルラッチリターンスプリング機能と、クローザ作動解除時に、キャンセルレバー８をクローザ作動解除位置から初期位置側（中立位置側）に戻す方向に付勢するキャンセルレバーリターンスプリング機能とを兼ね備えた１本のコイルスプリングである。
【００５５】
第２コイルスプリング１７のコイル内径（内周）およびコイル外径（外周）は、後記するスプリングホルダー９の第２スプリングガイドにガイドされている。この第２コイルスプリング１７の一端は、第２コイルスプリング１７のコイル部よりも一端側は、略直交する方向に折り曲げられて、後記するスプリングホルダー９の第２貫通孔７２ａを貫通した後に、その先端（一端）が上述したように、クローザ作動レバー１４のレバー側スプリングフック部に保持されている。また、第２コイルスプリング１７の他端は、キャンセルレバー８の円形状の保持孔（レバー側スプリングフック部）６７に係止されている。
【００５６】
非常時クローザ作動解除機構は、上記のアンラッチ作動レバー１０、アンラッチ出力軸１１、アンラッチ出力レバー１２およびキャンセルレバー８等によって構成されている。これらのうちキャンセルレバー８は、例えば金属材料によって一体的に形成されており、ケースカバー４の側壁部の内壁面に対向して配置されて、支点を中心にしてケースカバー４の側壁部の内壁面方向に沿って揺動運動を行う。また、キャンセルレバー８の一端部には、駆動装置ケース３の筒状壁部に形成された略凹形状の軸支部３５の係合溝３６に嵌め合わされて揺動自在（回転自在）に軸支される被軸支部６１が設けられている。なお、軸支部３５の側方（図示右方向）は、上記の機能部品収容部３０と連通するように開口している。この開口部、つまり軸支部３５の図示上端側と突起部３７との間に形成される開口部の間口は、被軸支部６１が機能部品収容部３０側に抜け出さないようにするために、被軸支部６１の最大寸法よりも狭くなっている。
【００５７】
このキャンセルレバー８のレバー部の先端部（他端部）には、アンラッチ作動レバー１０の係合孔５１に駆動連結する略円柱形状の係合ピン６３が保持固定（または一体的に形成）されている。また、キャンセルレバー８のレバー部の図示上側の側壁面には、手動操作力を受けて、アンラッチ作動レバー１０がアンラッチ作動方向に回転すると、第２動力伝達レバー７の係合ピン４４を係脱自在に押圧するための押圧部６４が設けられている。また、キャンセルレバー８の押圧部６４と駆動装置ケース３の軸支部３５に保持される被軸支部６１との間には、クローザ作動時に、第２動力伝達レバー７の係合ピン４４がキャンセルレバー８の側壁面に干渉することなくクローザ作動方向に第２動力伝達レバー７が移動できるような凹形状の逃げ部６５が形成されている。
【００５８】
なお、クローザ作動を解除する時以外は、第２コイルスプリング１７の付勢力によって、キャンセルレバー８の図示下端側の側壁面が、駆動装置ケース３の筒状壁部の側壁面（内壁面）およびクローザ作動レバー１４の円環状部の外周面に当接した初期位置で係止されるように構成されている。また、被軸支部６１とレバー部とを連結する略Ｌ字状部６６には、駆動装置ケース３の突起部３７に干渉しないように所定の曲率半径を持つ半球面状の壁面が形成されている。また、レバー部には、第２コイルスプリング１７の他端を係止する円形状の保持孔（レバー側スプリングフック部）６７が形成されている。この保持孔６７は、キャンセルレバー８のレバー部の板厚方向の両端面（表面と裏面）を連通するようにキャンセルレバー８のレバー部を貫通している。
【００５９】
そして、キャンセルレバー８は、アンラッチ作動レバー１０が手動操作力を受けてアンラッチ出力軸１１を中心にしてアンラッチ作動方向に回転すると、被軸支部６１の支点を中心にして図示左回転することにより、押圧部６４が第２動力伝達レバー７の係合ピン４４に係合して第２動力伝達レバー７をクローザ作動レバー１４の回転動作範囲外まで押し出して第２動力伝達レバー７のストッパ部４３とクローザ作動レバー１４の被係合部５２との駆動連結を解除する。なお、キャンセルレバー８は、アンラッチ作動レバー１０の板厚方向の一端面（表面）上、およびクローザ作動レバー１４の板厚方向の一端面（表面）上に重ね合わされて配置され、アンラッチ作動レバー１０の表面およびクローザ作動レバー１４の表面と干渉しない高さに位置するように軸支部３５に回転自在に支持されている。
【００６０】
スプリングホルダー９は、図１（ａ）、（ｂ）および図２に示したように、例えば熱可塑性樹脂等の樹脂材料によって所定の形状に一体的に形成された樹脂プレート（機能部材）であって、駆動装置ケース３の側壁部の内壁面上、特に第１動力伝達レバー６の板厚方向の一端面（表面）上およびキャンセルレバー８の板厚方向の他端面（裏面）とクローザ作動レバー１４の板厚方向の一端面（表面）との間に配置されている。なお、第１動力伝達レバー６およびクローザ作動レバー１４は、スプリングホルダー９の板厚方向の他端面（裏面）上を摺動自在に移動可能とされ、あるいはスプリングホルダー９の裏面と干渉しない高さに位置するように組み付けられている。また、キャンセルレバー８は、スプリングホルダー９の板厚方向の一端面（表面）上を摺動自在に移動可能とされている。
【００６１】
スプリングホルダー９は、第１スプリングガイド機能を有する第１スプリングホルダー部７１と、第２スプリングガイド機能を有する第２スプリングホルダー部７２と、キャンセルレバー異音防止機能を有する弾性部７３とを備えている。第１スプリングホルダー部７１は、キャンセルレバー異音防止機能とは異なる機能を有する第１機能部品を構成している。この第１スプリングホルダー部７１には、第１動力伝達レバー６の円環状部の外周に摺動自在に嵌め合わされる円形状の第１嵌合穴９１が形成されている。また、第１嵌合穴９１の周囲には、円弧状の第１貫通孔７１ａが形成されている。また、第１スプリングホルダー部７１の板厚方向の他端面（裏面）からは、駆動装置ケース３の側壁部の内壁面に設けられた第１嵌合溝（図示せず）内に圧入等により保持固定される略円柱形状の第１嵌合凸部７１ｂが突出している。
【００６２】
さらに、第１スプリングホルダー部７１には、第１コイルスプリング１３のコイル内径（内周）をガイドする略円弧状の第１スプリングガイド９２、および第１コイルスプリング１３のコイル外径（外周）をガイドする円弧状の第１スプリングガイド９３が第１スプリングホルダー部７１の板厚方向の一端面（表面）より上方側（ケースカバー４側）に突出するように設けられている。なお、第１スプリングガイド９２、９３には、第１コイルスプリング１３のコイル部を第１スプリングホルダー部７１の表面上に組み付けた後に、第１コイルスプリング１３のコイル部が軸方向に浮き上がるのを防止するための複数の第１爪状部９２ａ、９３ａが設けられている。すなわち、複数の第１爪状部９２ａ、９３ａは、第１コイルスプリング１３のコイル部のスラスト方向のスプリングガイド機能を有している。
【００６３】
第２スプリングホルダー部７２は、キャンセルレバー異音防止機能とは異なる機能を有する第２機能部品を構成している。この第２スプリングホルダー部７２には、アンラッチ作動レバー１０の円環状部の外周に摺動自在に嵌め合わされる円形状の第２嵌合穴９４が形成されている。また、第２嵌合穴９４の周囲には、円弧状の第２貫通孔７２ａが形成されている。なお、第２貫通孔７２ａは、上述したように、第２コイルスプリング１７の一端側を摺動可能に保持する円弧形状の保持孔（長穴）を構成する。また、その円環板部の板厚方向の他端面（裏面）からは、駆動装置ケース３の側壁部の内壁面に設けられた第２嵌合溝（図示せず）内に圧入等により保持固定される略円柱形状の第２嵌合凸部７２ｂが突出している。
【００６４】
さらに、第２スプリングホルダー部７２には、第２コイルスプリング１７のコイル内径（内周）をガイドする略円弧状の第２スプリングガイド９５、および第２コイルスプリング１７のコイル外径（外周）をガイドする円弧状の第２スプリングガイド９６が第２スプリングホルダー部７２の板厚方向の一端面（表面）より上方側（ケースカバー４側）に突出するように設けられている。なお、第２スプリングガイド９６には、第２コイルスプリング１７のコイル部を第２スプリングホルダー部７２の表面上に組み付けた後に、第１コイルスプリング１３のコイル部が軸方向に浮き上がるのを防止するための複数の第２爪状部９６ａが設けられている。すなわち、複数の第２爪状部９６ａは、第２コイルスプリング１７のコイル部のスラスト方向のスプリングガイド機能を有している。
【００６５】
弾性部７３は、第１、第２スプリングホルダー部７１、７２を連結する連結板（連結部）７４の図示上端部から図示上方に突出するように樹脂一体成形されて、キャンセルレバー８を、ケースカバー４の側壁部の内壁面に弾性変形力を用いて押し付ける弾性体（キャンセルレバー弾性保持機構）として機能（キャンセルレバー異音防止機能）する。そして、弾性部７３は、連結板７４の設置位置（ベース位置）からケースカバー４の側壁部の内壁面側に反り返るような平板形状に形成されており、弾性部７３の板厚方向の一端面の法線方向がキャンセルレバー８の回転方向の一方側に向けてキャンセルレバー８の板厚方向の他端面（裏面）に徐々に近づくように、所定の角度を持って傾いている。そして、弾性部７３の自由端の先端には、キャンセルレバー８の裏面に常時接触する接触子７５が設けられている。また、弾性部７３の板厚方向の一端面（表面）の面形状がキャンセルレバー８の回転動作軌跡に沿うように所定の曲率を持って略円弧状に湾曲している。なお、連結板７４の板厚方向の一端面（表面）または両端面（表面および裏面）には、第１スプリングホルダー部７１と同一平面上に位置し、且つ第２スプリングホルダー部７２および連結板７４よりも上方に突出している凸状の補強リブ７４ａが樹脂一体成形されている。また、連結板７４の板厚方向の他端面（裏面）からは、駆動装置ケース３の側壁部の内壁面に設けられた第３嵌合溝（図示せず）内に圧入等により保持固定される略円柱形状の第３嵌合凸部７４ｂが突出している。
【００６６】
ここで、スプリングホルダー９の材質としては、ポリエチレン（ＰＥ）、ポリエーテルイミド（ＰＥＩ）、ポリエチレンテレフタレート（ＰＥＴ）、ポリブチレンテレフタレート（ＰＢＴ）、ポリプロピレン（ＰＰ）、ポリアミド樹脂（ＰＡ）、ポリフェニレンサルファイド（ＰＰＳ）等のうちのいずれかの熱可塑性樹脂を用いても良い。また、スプリングホルダー９は、ドアロック駆動装置の各機能部品が摺動する。具体的には、スプリングホルダー９の第１、第２スプリングホルダー部７１、７２と、第１、第２コイルスプリング１３、１７のコイル内径およびコイル外径との間に、両者の相対運動における摺動抵抗が生じる。また、スプリングホルダー９の第１、第２スプリングホルダー部７１、７２と、第１動力伝達レバー６の板厚方向の一端面（表面）および円環状部の外周面、アンラッチ作動レバー１０の板厚方向の一端面（表面）および円環状部の外周面との間に、両者の相対運動における摺動抵抗が生じる。
【００６７】
また、弾性部７３の接触子７５と、キャンセルレバー８の板厚方向の他端面（裏面）との間に、両者の相対運動における摺動抵抗が生じる。このため、これらの摺動抵抗を低下させるための潤滑剤を、スプリングホルダー９に塗布またはコーティング、あるいは熱可塑性樹脂に潤滑剤を配合または混合しても良い。なお、潤滑剤としては、フッ素系樹脂、例えば四フッ化エチレン樹脂（ＰＴＦＥ）、ポリ三フッ化塩化エチレン（ＰＣＴＦＥ）、ポリフッ化ビニリデン（ＰＶＤＦ）、ポリフッ化ビニル（ＰＶＦ）、ポリ四フッ化−六フッ化エチレン（ＦＥＰ）、エチレン−四フッ化エチレン樹脂（ＥＴＦＥ）、四フッ化−パーフルオロアルキルビニルエーテル樹脂（ＰＦＡ）のうちのいずれか１つ以上の低摺動抵抗材料が望ましい。
【００６８】
［実施例１の作用］
次に、本実施例のドアロック駆動装置の作動を図１および図２に基づいて簡単に説明する。
【００６９】
イ）ドアロック駆動装置のアンラッチ機能
ドア閉状態から乗員がドアを開くためにドア開スイッチをＯＮすると、モータ通電回路に電流が流れて（駆動モータ通電ＯＮ）、駆動モータ１のモータシャフト１９が正転方向に回転する。そして、駆動モータ１のモータシャフト１９の回転出力（モータ出力軸トルク）がピニオンギヤ２２→第１減速ギヤ２３→第２減速ギヤ２４を経て出力カム２に伝達される。そして、出力カム２が正転方向へ回転すると、係合ピン５がアンラッチ出力軸１１を中心にしてアンラッチ作動方向に公転運動する。
【００７０】
具体的には、係合ピン５が出力カム２のオープナカム面に沿って外側へ動かされて第１動力伝達レバー６がアンラッチ作動方向（図示右回転方向）に回転して、第１動力伝達レバー６の係合片４１がアンラッチ作動レバー１０の被係合部に係合して、第１動力伝達レバー６の係合片４１とアンラッチ作動レバー１０の被係合部とが駆動連結状態（係合状態）となる。そして、更に第１動力伝達レバー６がアンラッチ作動方向に回転することにより、アンラッチ作動レバー１０がアンラッチ出力軸１１を中心にしてアンラッチ作動方向（図示右回転方向）に正規の回転角度だけ回転する。そして、アンラッチ作動レバー１０がアンラッチ作動方向に回転すると、アンラッチ出力軸１１およびアンラッチ出力レバー１２もアンラッチ出力軸１１を中心にしてアンラッチ作動方向（図示右回転方向）に回転する。
【００７１】
また、アンラッチ作動レバー１０がアンラッチ作動方向に回転すると、アンラッチ作動レバー１０の係合孔５１に常時係合する係合ピン６３を保持固定したキャンセルレバー８が、スプリングホルダー９の弾性部７３の接触子７５に摺接しながら、被軸支部６１の支点を中心にしてクローザ作動解除方向（図示左回転方向）に回転し、キャンセルレバー８の押圧部６４が第２動力伝達レバー７の係合ピン４４に係合する。そして、更にキャンセルレバー８がクローザ作動解除方向に回転することにより、第２動力伝達レバー７が係合ピン５を中心にして跳ね上げられて（図示右回転方向に回転して）、第２動力伝達レバー７がクローザ作動レバー１４の回転動作範囲外まで押し出され、第２動力伝達レバー７のストッパ部４３とクローザ作動レバー１４の被係合部５２との駆動連結（係合状態）が解除される。
【００７２】
したがって、出力カム２から第２動力伝達レバー７を介してクローザ作動レバー１４に駆動モータ１のモータシャフト１９の回転出力（モータ出力軸トルク）が伝わらず、第２コイルスプリング１７の付勢力によってクローザ作動レバー１４、クローザ出力軸１５およびクローザ出力レバー１６は中立位置より動かない。この結果、アンラッチ出力レバー１２の第１係合部（第１作用部）がドアロックのラチェットのレシーブ部を押圧して、ラチェットを支軸を中心にしてアンラッチ作動方向に駆動する。これによって、ドアロックのラチェットの係合爪がラッチのフルラッチ用係合爪から外れることにより、ラッチスプリングに付勢されたラッチが初期位置へ戻ろうとし、ドアを開くことが可能なアンラッチ状態となる。
【００７３】
このとき、出力カム２または第２減速ギヤ２４がアンラッチ位置まで回転したことを検出すると、モータ通電回路の電流の流れ方向が切り替えられて、駆動モータ１のモータシャフト１９が逆転方向に回転する。そして、駆動モータ１のモータシャフト１９の回転出力（モータ出力軸トルク）がピニオンギヤ２２→第１減速ギヤ２３→第２減速ギヤ２４を経て出力カム２に伝達される。そして、出力カム２が逆転方向へ回転すると、係合ピン５が出力カム２のオープナカム面に沿って内側へ動かされて第１動力伝達レバー６が図示左回転方向に回転して中立点に戻される。そして、このようなアンラッチ作動完了後には、第１コイルスプリング１３の付勢力によってアンラッチ作動レバー１０およびアンラッチ出力レバー１２がアンラッチ出力軸１１を中心にして図示左回転方向に回転するため、アンラッチ作動レバー１０およびアンラッチ出力レバー１２も中立点に戻される。
【００７４】
一方、第１コイルスプリング１３の付勢力によるアンラッチ作動レバー１０の図示左回転方向の回転に伴ってキャンセルレバー８が、スプリングホルダー９の弾性部７３の接触子７５に摺接しながら、被軸支部６１の支点を中心にして図示右回転方向に回転する。さらに、第２動力伝達レバー７も係合ピン５を中心にして図示左回転方向に回転して、第２動力伝達レバー７およびキャンセルレバー８も中立点（初期位置）に戻される。そして、出力カム２または第２減速ギヤ２４がアンラッチ位置から中立位置まで戻されたことを検出すると、駆動モータ１への通電が終了する（駆動モータ通電ＯＦＦ）。
【００７５】
ロ）ドアロック駆動装置のオートクローザ機能
図１に示したドア開状態（中立位置）から乗員がドアを閉じようとすると、ストライカがラッチの嵌合溝に進入してラッチが回転することにより、ラッチのハーフラッチ用係合爪がラチェットの係合爪と係合してハーフラッチ状態（ドアが完全に閉鎖していない半ドア状態）となる。このハーフラッチ状態となると、ハーフラッチスイッチがＯＮすることで、モータ通電回路に電流が流れて（駆動モータ通電ＯＮ）、駆動モータ１が逆転方向に回転する。そして、駆動モータ１のモータシャフト１９の回転出力（モータ出力軸トルク）がピニオンギヤ２２→第１減速ギヤ２３→第２減速ギヤ２４を経て出力カム２に伝達される。
【００７６】
そして、出力カム２が逆転方向へ回転すると、係合ピン５がアンラッチ出力軸１１を中心にしてクローザ作動方向に公転運動する。具体的には、係合ピン５が出力カム２のクローザカム面に沿って外側へ動かされ、更に出力カム２のクローザカム面の外壁面に沿って動かされて、第１動力伝達レバー６がクローザ作動方向（図示左回転方向）にゆっくりと回転し、更にその係合ピン５に駆動連結された第２動力伝達レバー７がクローザ作動方向（図示左側方向）に動作する。ここで、ハーフラッチ状態の時には、第２動力伝達レバー７のストッパ部４３とクローザ作動レバー１４の被係合部５２とが駆動連結可能に係合しているので、第２動力伝達レバー７のクローザ作動方向の動作に伴って、クローザ作動レバー１４が第２動力伝達レバー７のストッパ部４３に押されて、クローザ作動レバー１４がクローザ出力軸１５を中心にしてクローザ作動方向（図示左回転方向）に回転する。
【００７７】
一方、第１動力伝達レバー６がクローザ作動方向に回転する際には、第１動力伝達レバー６の係合片４１がアンラッチ作動レバー１０の被係合部から離脱して、第１動力伝達レバー６の係合片４１とアンラッチ作動レバー１０の被係合部との駆動連結状態（係合状態）が解除される。したがって、出力カム２から第１動力伝達レバー６を介してアンラッチ作動レバー１０に駆動モータ１のモータシャフト１９の回転出力（モータ出力軸トルク）が伝わらず、第１コイルスプリング１３の付勢力によってアンラッチ出力レバー１２は中立位置より動かない。このとき、アンラッチ作動レバー１０も中立位置から動かないので、キャンセルレバー８も中立位置（初期位置）から動かず、第２動力伝達レバー７からクローザ作動レバー１４への、駆動モータ１のモータシャフト１９の回転出力（モータ出力軸トルク）の伝達を阻止することはない。
【００７８】
これにより、第２動力伝達レバー７のクローザ作動方向の動作に伴って、クローザ作動レバー１４がクローザ作動方向に回転すると、クローザ出力軸１５およびクローザ出力レバー１６もクローザ出力軸１５を中心にしてクローザ作動方向（図示左回転方向）に回転する。この結果、クローザ出力レバー１６の第２係合部（第２作用部）がドアロックのラッチのレシーブ部を押圧して、ラッチを支軸を中心にしてクローザ作動方向に動かす。これにより、ドアロックのラチェットの係合爪がラッチのハーフラッチ用係合爪から外れてフルラッチ用係合爪に係合することにより、ドアを完全に閉鎖するフルラッチ状態となる。
【００７９】
このとき、出力カム２または第２減速ギヤ２４がフルラッチ位置まで回転したことを検出すると、モータ通電回路の電流の流れ方向が切り替えられて、駆動モータ１のモータシャフト１９が正転方向に回転する。そして、駆動モータ１のモータシャフト１９の回転出力（モータ出力軸トルク）がピニオンギヤ２２→第１減速ギヤ２３→第２減速ギヤ２４を経て出力カム２に伝達される。そして、出力カム２が正転方向へ回転すると、係合ピン５が出力カム２のクローザカム面に沿って内側へ動かされて第１動力伝達レバー６が図示右回転方向に回転して中立点に戻される。一方、係合ピン５の公転運動に伴って係合ピン５に駆動連結された第２動力伝達レバー７が図示右側方向に動作して中立点に戻される。そして、出力カム２または第２減速ギヤ２４がフルラッチ位置から中立位置まで戻されたことを検出すると、駆動モータ１への通電が終了する（駆動モータ通電ＯＦＦ）。
【００８０】
ハ）ドアロック駆動装置の非常時クローザ作動解除機能
上述したように、図２に示したドア開状態（中立位置）から乗員がドアを閉じようとして、半ドア状態（ハーフラッチ状態）となると、ハーフラッチスイッチがＯＮすることで、モータ通電回路に電流が流れて、駆動モータ１のモータシャフト１９が逆転方向に回転して、出力カム２が逆転方向へ回転する途中で、すなわち、ドアロック駆動装置のクローザ作動途中で、ドアに手や指等の乗員の身体を挟んだり、物や乗員の衣服を挟んだりする等の非常事態が発生した場合には、乗員がクローザ作動を中止するためにアウターハンドルまたはインナーハンドル等の手動操作手段を手動操作する。すると、レシーブ部がその手動操作手段にワイヤーを介して接続されるアンラッチ出力レバー１２がアンラッチ出力軸１１を中心にしてアンラッチ作動方向に回転する。そして、アンラッチ出力レバー１２がアンラッチ作動方向に回転すると、アンラッチ作動レバー１０もアンラッチ作動方向に回転する。
【００８１】
一方、アンラッチ作動レバー１０がアンラッチ作動方向に回転すると、アンラッチ作動レバー１０の係合孔５１とキャンセルレバー８の係合ピン６３とが常時駆動連結されているため、キャンセルレバー８が、スプリングホルダー９の弾性部７３の接触子７５に摺接しながら、被軸支部６１の支点を中心にして図示左回転方向に回転する。すなわち、キャンセルレバー８が被軸支部６１を中心にしてクローザ作動解除方向（図示左回転方向）に回転して、キャンセルレバー８の押圧部６４が第２動力伝達レバー７の係合ピン４４に係合する。そして、更にキャンセルレバー８がクローザ作動解除方向に回転すると、キャンセルレバー８のクローザ作動解除方向の回転に伴って、つまり押圧部６４の図示左上方への移動に伴って第２動力伝達レバー７が係合ピン５を中心にして跳ね上げられて（図示右回転方向に回転して）、第２動力伝達レバー７がクローザ作動レバー１４の回転動作範囲（揺動範囲）外まで押し出され、第２動力伝達レバー７のストッパ部４３とクローザ作動レバー１４の被係合部５２との駆動連結状態（係合状態）が解除される。
【００８２】
したがって、出力カム２から第２動力伝達レバー７を介してクローザ作動レバー１４に駆動モータ１のモータシャフト１９の回転出力（モータ出力軸トルク）が伝わらず、第２コイルスプリング１７の付勢力によってクローザ作動レバー１４、クローザ出力軸１５およびクローザ出力レバー１６は中立位置に戻される。この結果、ドアロック駆動装置のクローザ作動途中で、ドアに手や指等の乗員の身体を挟んだり、物や乗員の衣服を挟んだりする等の非常事態が発生した場合には、アンラッチ作動方向（＝クローザ作動解除方向）の手動操作力をアンラッチ出力レバー１２に与え、このアンラッチ出力レバー１２に与えられた手動操作力をアンラッチ出力軸１１およびアンラッチ作動レバー１０を介してキャンセルレバー８に伝える。
【００８３】
これにより、キャンセルレバー８を被軸支部６１の支点を中心にしてクローザ作動解除方向に回転させることによって、第２動力伝達レバー７のストッパ部４３とクローザ作動レバー１４の被係合部５２との駆動連結状態（係合状態）を解除することで、出力カム２から第２動力伝達レバー７を介してクローザ作動レバー１４に駆動モータ１のモータシャフト１９の回転出力（モータ出力軸トルク）が伝わらなくなり、ドアロックのラッチのクローザ作動を解除することができる。その上、アンラッチ出力レバー１２がドアロックのラチェットを支軸を中心にしてアンラッチ作動方向（＝クローザ作動解除方向）に動かすことができる。
【００８４】
この結果、ドアロックのラチェットの係合爪がラッチのフルラッチ用係合爪から外れ、ラッチスプリングに付勢されたラッチが初期位置へ戻ろうとし、ドアを開くことが可能なアンラッチ状態となるので、ドアロック駆動装置の品質、安全性および信頼性を向上することができる。そして、乗員がアウターハンドルまたはインナーハンドル等の手動操作手段より手を離した時、つまりクローザ作動解除完了時には、第１コイルスプリング１３の付勢力によって、アンラッチ作動レバー１０、第１、第２動力伝達レバー６、７がクローザ作動解除位置から中立位置に戻される。一方、第２コイルスプリング１７の付勢力によって、キャンセルレバー８がクローザ作動解除位置から中立位置（初期位置）に戻される。
【００８５】
［実施例１の効果］
以上のように、本実施例のドアロック駆動装置においては、駆動装置ケース３の側壁部の内壁面とケースカバー４の側壁部の内壁面との間に形成される凹形状の機能部品収容部３０内に、駆動装置ケース３の筒状壁部に設けた略凹形状の軸支部３５の係合溝３６内に嵌め込まれて揺動自在（回転自在）に軸支される被軸支部６１の支点を中心にした、駆動装置ケース３の側壁部の内壁面方向に平行な方向、つまり自身の板厚方向に対して略直交する自身の板面方向への回転動作を行う板状のキャンセルレバー８を収容している。そして、第１スプリングガイド機能を有する第１スプリングホルダー部７１と、第２スプリングガイド機能を有する第２スプリングホルダー部７２とを兼ね備えたスプリングホルダー９の連結板７４の図示上端部から図示上方に突出するように、キャンセルレバー異音防止機能を有する弾性部７３を樹脂一体成形している。
【００８６】
これにより、一端部（被軸支部６１）が駆動装置ケース３の軸支部３５に揺動自在に軸支されたキャンセルレバー８は、弾性部７３の弾性変形力を用いてケースカバー４の側壁部の内壁面に押し付けられる。この結果、キャンセルレバー８の板厚方向の一端面（表面）とケースカバー４の側壁部の内壁面との間に、キャンセルレバー８の円滑な回転動作を確保することが可能なクリアランスが設けられている場合でも、キャンセルレバー８が駆動装置ケース３とケースカバー４との間に形成される機能部品収容部３０内で振れることを抑えることができるので、異音の発生を防止することができる。
【００８７】
また、キャンセルレバー異音防止機能を有する弾性部７３は、連結板７４の設置位置（ベース位置）からケースカバー４の側壁部の内壁面側に反り返るような平板形状に形成されており、弾性部７３の板厚方向の一端面の法線方向がキャンセルレバー８の回転方向の一方側に向けてキャンセルレバー８の板厚方向の他端面（裏面）に徐々に近づくように、所定の角度を持って傾いている。これにより、キャンセルレバー８が中立位置（初期位置、最小回転角度位置）からクローザ作動解除位置（回転動作位置、最大回転角度位置）まで円滑に回転動作できる。したがって、キャンセルレバー８の円滑な回転動作を阻害することなく、異音の発生を防止することができる。
【００８８】
また、キャンセルレバー異音防止機能を有する弾性部７３の自由端の先端に、キャンセルレバー８の裏面に常時接触する接触子７５を設けている。これにより、第２コイルスプリング１７の付勢力によってキャンセルレバー８がクローザ作動解除位置から中立位置に戻される場合に、弾性部７３の接触子７５に引っ掛かることはない。したがって、キャンセルレバー８の円滑な回転動作を阻害することなく、異音の発生を防止することができる。また、キャンセルレバー異音防止機能を有する弾性部７３の板厚方向の一端面（表面）の面形状がキャンセルレバー８の回転動作軌跡に沿うように所定の曲率を持って略円弧状に湾曲している。これにより、弾性部７３の板幅方向の寸法を必要最小限とすることができるので、弾性部７３の製造コストを低減することができる。
【００８９】
また、駆動装置ケース３とケースカバー４との間に形成される凹形状の機能部品収容部３０内に、第１、第２動力伝達レバー６、７を中立位置側に戻す方向に付勢すると共に、アンラッチ機構、特にアンラッチ作動レバー１０を中立位置に戻す方向に付勢する第１コイルスプリング１３と、キャンセルレバー８、オートクローザ機構、特にクローザ作動レバー１４を中立位置側に戻す方向に付勢する第２コイルスプリング１７と、第１コイルスプリング１３のコイル内径およびコイル外径をガイドする第１スプリングガイド機能と第２コイルスプリング１７のコイル内径およびコイル外径をガイドする第２スプリングガイド機能とを兼ね備えたスプリングホルダー（機能部品）９とを収容している。
【００９０】
このスプリングホルダー９は、駆動装置ケース３、ケースカバー４、第１、第２動力伝達レバー６、７、キャンセルレバー８、アンラッチ作動レバー１０およびクローザ作動レバー１４のいずれのドアロック駆動装置の各機能部品に対しても独立した別部品にて設けられている。そして、キャンセルレバー異音防止機能を有する弾性部７３を、スプリングホルダー９の連結板７４に樹脂一体成形することで一体的に設けることにより、スプリングホルダー９と弾性部７３とを別々に設けた場合と比べて、部品点数や組付工数を削減することができる。また、弾性部７３を保持する機能を有する機能部品と、第１、第２スプリングガイド機能を有するスプリングホルダー９とを別々に設けた場合と比べて、部品点数や組付工数を削減することができる。したがって、ドアロック駆動装置のキャンセルレバー弾性保持機構（キャンセルレバー異音防止装置）を非常に少ない部品点数で構成できるので、コストダウンを図ることができる。また、スプリングホルダー９を樹脂化した場合には、ドアロック駆動装置の軽量化および低コスト化を図ることができ、且つ生産性を向上することができる。
【００９１】
［変形例］
本実施例では、出力カム２のオープナカム面から係合ピン５が第２減速ギヤ２４の正転方向（アンラッチ作動方向）の回転出力を受けてアンラッチ出力軸１１を中心にしてアンラッチ作動方向に公転運動を行うとアンラッチ作動方向に動作する第１動力伝達レバー６と、出力カム２のクローザカム面から係合ピン５が第２減速ギヤ２４の逆転方向（クローザ作動方向）の回転出力を受けてアンラッチ出力軸１１を中心にしてクローザ作動方向に公転運動を行うとクローザ作動方向に動作する第２動力伝達レバー７とを別体で構成したが、第１動力伝達レバー６と第２動力伝達レバー７とを１つの動力伝達レバーで構成しても良い。
【００９２】
本実施例では、アンラッチ作動レバー１０、アンラッチ出力軸１１およびアンラッチ出力レバー１２を別部品で構成したが、アンラッチ作動レバー１０またはアンラッチ出力レバー１２を、アンラッチ出力軸１１に一体的に形成しても良い。また、本実施例では、クローザ作動レバー１４、クローザ出力軸１５およびクローザ出力レバー１６を別部品で構成したが、クローザ作動レバー１４またはクローザ出力レバー１６を、クローザ出力軸１５に一体的に形成しても良い。また、本実施例では、第１スプリングガイド機能と第２スプリングガイド機能とキャンセルレバー異音防止機能（弾性部７３）とを兼ね備えたスプリングホルダー９を用いているが、第１スプリングガイド機能または第２スプリングガイド機能のいずれか一方のみのスプリングガイド機能とキャンセルレバー異音防止機能とを兼ね備えたスプリングホルダーを用いても良い。
【００９３】
本実施例では、アウターハンドルまたはインナーハンドル等の手動操作手段に、ワイヤーを介してアンラッチ出力レバー１２のレシーブ部が接続され、アンラッチ作動方向の手動操作力がアウターハンドルまたはインナーハンドル、ワイヤーを介してアンラッチ出力レバー１２に入力されるように構成されているが、手動操作手段とキャンセルレバー８またはアンラッチ作動レバー１０またはアンラッチ出力軸１１とを直接接続し、アンラッチ作動方向の手動操作力がアンラッチ出力軸１１またはアンラッチ作動レバー１０またはキャンセルレバー８に直接入力されるように構成しても良い。また、手動レバー等の手動操作手段の操作に応じて、アンラッチ作動レバー１０、アンラッチ出力軸１１、アンラッチ出力レバー１２よりなるアンラッチ機構を電気的に駆動する駆動モータ等の駆動装置を設け、その駆動装置によりアンラッチ作動方向の操作力をキャンセルレバー８またはアンラッチ作動レバー１０またはアンラッチ出力軸１１またはアンラッチ出力レバー１２に入力するように構成しても良い。
【００９４】
本実施例では、第２減速ギヤ２４が中立位置からアンラッチ位置またはフルラッチ位置まで回転したことを検出すると、モータ通電回路の電流の流れ方向を切り替えて、駆動モータ１のモータシャフト１９の回転方向を逆転させるようにして、第２減速ギヤ２４および出力カム２を中立位置に戻しているが、第２減速ギヤ２４が中立位置からアンラッチ位置またはフルラッチ位置を経て中立位置に戻るまで１回転させるようにしても良い。また、本実施例では、駆動モータ１のモータシャフト１９および第２減速ギヤ２４の正転方向または逆転方向の回転出力を出力カム２のカム面を介して第１動力伝達レバー６および第２動力伝達レバー７に伝えるように構成したが、出力カム２を廃止して、駆動モータ１の正転方向または逆転方向の回転出力を係合ピン５に直接伝えるように構成しても良い。
【００９５】
本実施例では、係合ピン５がアンラッチ出力軸１１を中心にしてアンラッチ作動方向またはクローザ作動方向に公転運動を行うように構成したが、係合ピン５がアンラッチ出力軸１１とは別体の支持軸を中心にしてアンラッチ作動方向またはクローザ作動方向に公転運動を行うように構成しても良い。また、係合ピン５を第１動力伝達レバー６の先端部に保持固定したが、係合ピン５を第１動力伝達レバー６の機能を有しないリンクプレートの先端部に保持固定しても良い。また、ドアロック駆動装置からアンラッチ機構を取り除いて、オートクローザ機構のみでドアロック駆動装置を構成しても良い。
【００９６】
本実施例では、スプリングホルダー９を樹脂化して、弾性体（弾性部７３）を樹脂一体成形しているが、スプリングホルダー９を金属材料によって一体化して、弾性体（弾性部７３）を一体的に形成しても良い。この場合には、弾性体（弾性部７３）は、板ばねとして機能する。また、このような板ばねやスプリングバック機能を有する金属板を、樹脂化された機能部品にインサート成形して一体化しても良い。また、板状のリンクレバーの支持軸を廃止して、一端部（または中間部）に設けた被軸支部が、駆動装置ケース３（またはケースカバー４）に樹脂一体成形された軸支部に揺動自在に保持されるように構成されたキャンセルレバー８等の板状のリンクレバーを、弾性体（弾性部７３）の弾性変形力を用いて駆動装置ケース３の側壁部の内壁面に押し付けるようにしても良い。また、弾性体（弾性部７３）が駆動装置ケース３の側壁部の内壁面またはケースカバー４の側壁部の内壁面に樹脂一体成形またはインサート成形されていても良い。この場合には、機能部品が駆動装置ケース３またはケースカバー４となる。
【図面の簡単な説明】
【００９７】
【図１】（ａ）はキャンセルレバー弾性保持機構を示した断面図で、（ｂ）はスプリングホルダーを示した平面図である（実施例１）。
【図２】ドアロック駆動装置の全体構成を示した平面図である（実施例１）。
【図３】ドアロック駆動装置のクローザ作動途中を示した作動説明図である（比較例１）。
【図４】ドアロック駆動装置のクローザ作動解除途中を示した作動説明図である（比較例１）。
【図５】ドアロック駆動装置のクローザ作動解除完了を示した作動説明図である（比較例１）。
【符号の説明】
【００９８】
１  駆動モータ（動力ユニット）
２  出力カム（動力ユニット）
３  駆動装置ケース（ハウジング）
４  ケースカバー（ハウジング）
５  係合ピン（ピン部材）
６  第１動力伝達レバー
７  第２動力伝達レバー（動力伝達レバー）
８  キャンセルレバー（リンクレバー）
９  スプリングホルダー（機能部品）
１０  アンラッチ作動レバー（リンクプレート）
１１  アンラッチ出力軸
１２  アンラッチ出力レバー
１３  第１コイルスプリング
１４  クローザ作動レバー
１５  クローザ出力軸（クローザ作動レバーの支持軸）
１６  クローザ出力レバー
１７  第２コイルスプリング
１９  駆動モータのモータシャフト（出力軸）
３０  機能部品収容部（レバー収容部）
３５  駆動装置ケースの軸支部
３６  駆動装置ケースの係合溝
３７  駆動装置ケースの突起部
６１  キャンセルレバーの被軸支部
７１  スプリングホルダーの第１スプリングホルダー部（第１スプリングガイド機能）  ７２  スプリングホルダーの第２スプリングホルダー部（第２スプリングガイド機能）  ７３  スプリングホルダーの弾性部（弾性体、キャンセルレバー異音防止機能）
７５  スプリングホルダーの弾性部の接触子
【図１】
2005290907.tif 000003
【図２】
2005290907.tif 000004
【図３】
2005290907.tif 000005
【図４】
2005290907.tif 000006
【図５】
2005290907.tif 000007